(57)【要約】      （修正有）【課題】内容物の親水性高分子ゲルのソフト感を維持し、かつ親水性高分子ゲル体をフィルム外に漏らすことなく、気体を通過させることで保冷（温）材、芳香材、消臭材として利用可能な気体透過性包装体を提供。【解決手段】熱シール性を有する気体透過性高分子フィルム中に親水性高分子ゲル、添加物としてマイナスイオン発生源、芳香成分、消臭成分を封じた包装体。【選択図】なし【特許請求の範囲】
【請求項１】
熱シール性を有する気体透過性高分子フィルム中にマイナスイオンの発生を増加させ得る成分及び親水性高分子ゲルを封じ、親水性高分子ゲルがフィルム外に漏れることなく、マイナスイオンをフィルム外に発散し易くさせたことを特徴とする包装体
【請求項２】
熱シール性を有する気体透過性高分子フィルム中に揮発性芳香成分及び親水性高分子ゲルを封じ、親水性高分子ゲルがフィルム外に漏れることなく、芳香成分をフィルム外に蒸散し易くさせたことを特徴とする包装体
【請求項３】
熱シール性を有する気体透過性高分子フィルム中に消臭成分及び親水性高分子ゲルを封じ、親水性高分子ゲルがフィルム外に漏れることなく、消臭成分がフィルム外に蒸散し、悪臭成分を消臭する、または悪臭成分をフィルム内に捕獲し得る包装体
【請求項４】
請求項１ないし３に記載の親水性高分子ゲルとマイナスイオンの発生を増大させる成分、揮発性芳香成分、消臭成分のうち２種類以上を含み、熱シール性を有する気体透過性高分子フィルム中に封じた包装体
【請求項５】
前記包装体の特徴を有し、かつ凝固点降下剤として分子内にヒドロキシル基、アミノ基、カルボキシル基、スルホ基、またはこれらを２種類以上含む水溶性有機化合物、アルカリ金属またはアルカリ土類金属をカウンターイオンとする水溶性無機化合物、またはこれらを２種類以上配合し、冷凍による凝固を防止した包装体
【請求項６】
前記親水性高分子ゲルのゲル化剤がポリ（メタ）アクリル酸ナトリウム、ポリ（メタ）アクリル酸、ポリ（メタ）アクリルアミド系ポリマー、ポリビニルアルコール、ポリビニル（メタ）アクリレート、カルボキシビニルポリマー、メチルセルロース、カルボキシメチルセルロースナトリウム、カルボキシメチルセルロース、ヒドロキシプロピルメチルセルロース、ゼラチン、寒天、カラギーナン、ジェランガム、グアーガム、キサンタンガム、アガロース、アルギン酸ナトリウム、アルギン酸、アルギン酸プロピレングリコールエステル、マンナン、ペクチン、α−オレフィンと無水マレイン酸との共重合化合物、ビニルアルコールと（メタ）アクリル酸、ビニルアルコールと（メタ）アクリル酸ナトリウムとの共重合化合物、デンプンとアクリル酸ナトリウム共重合化合物、またはこれら２種類以上の混合物である請求項１ないし５のいずれか一項に記載の包装体
【請求項７】
前記気体透過性フィルムがポリエチレン、ポリプロピレン、ナイロン、ポリエステル、ポリ塩化ビニル、エチレン−酢酸ビニル共重合体けん化物、またはこれら２種類以上を熱シール性、強度を与えるためにラミネートした請求項１ないし５のいずれか一項に記載の包装体
【請求項８】
前記マイナスイオンの発生を増大させる成分が金属含有珪藻土、トルマリン、またはこれら２つを含む包装体
【請求項９】
前記揮発性芳香成分が合成香料の混合物、天然香料、即ち、動物性香料、顕花植物の花、果実、樹皮、葉から得られる芳香油、またはこれらを２種類以上の混合物である請求項１ないし４のいずれか一項に記載の包装体
【請求項１０】
前記の消臭成分がポリフェノール類を含有する植物由来抽出物、緑茶抽出物、ウーロン茶抽出物、人参葉抽出物、柿抽出物、竹抽出物、またはこれら２種類以上の混合物である請求項３ないし４のいずれか一項に記載の包装体
【請求項１１】
請求項６に記載のゲル化剤を含まない請求項１ないし４のいずれか一項に記載の包装体
【発明の詳細な説明】
【発明の詳細な説明】
【技術分野】
【０００１】  本発明は、気体透過性包装体に関し、気体透過性高分子フィルムを包装材として用い、内容物の親水性高分子ゲル体のソフト感を維持し、かつ親水性高分子ゲル体をフィルム外に漏らすことなく、気体を通過させ、マイナスイオン、揮発性芳香成分及び消臭成分の効果を最大限に発揮させることを特徴とし、保冷（温）材、芳香材、消臭材として利用可能な気体透過性包装体に関する。
【背景技術】
【０００２】  従来、人体に対し、その還元作用から良い影響を与えると云われるマイナスイオンを発生する枕はマイナスイオンの発生源を包装材自体に含有させたり、高分子ポリマーに練り込んで用いられてきた（特開平１１−３３５４８５号公報）。自然界で発生するマイナスイオンは滝の近くなど水の多く存在する場所でよく観測されることから水由来のアニオンであると考えられてきている。これに基づくと包装材等に含有させたところで水が全く関与できない状態にあるのでマイナスイオンを発生させるのは困難であるという問題があった。【０００３】  また、マイナスイオン発生源と水が包装体内に存在し、かつ包装体内から外へマイナスイオンを放出し、その還元作用から食品類に対し冷媒として以外の点で鮮度保持に貢献する保冷材は存在しなかった。【０００４】  さらに、従来の芳香材は直接大気に触れさせることで、芳香成分の蒸散を促進する製品がほとんどであった。寒天等の親水性高分子ゲルを用いた芳香材はゲル強度が高いが、開封後静置しなければならないという問題があった。【０００５】  さらに、保冷材として使用した後に包装体内から内容物を取り出し、別容器に移した後、消臭材として再利用する多用途保冷材（特開２００１−７２９６４号公報）が存在するが、これは別容器を必要とすることで使用者に対する金銭的負担を生じさせる他、別容器に移さなければならないという手間があった。
【発明の開示】
【発明が解決しようとする課題】
【０００６】  前記を端的に記述すると、水等の液体を含む高分子ゲルは包装体に密封した形、または直接大気に触れさせる形で使用されてきた。即ち、前者は包装体中の高分子ゲル及び内容物は物理的な特性しか活かせなかったのである。例えば、冷凍庫に入れて凝固させ、冷媒として用いたり、凝固点降下剤を配合して凝固を防止し、ソフト感を維持する保冷枕として使用したりしていた。【０００７】  また、後者はゲル体が大気に直接触れているから、これを移動したりする場合、皮膚に直接触れ、嫌悪感を与える問題があった。例えば、容器の上部が空いたゲル芳香材、消臭材がある。これらは静置しなければ使用出来ない。即ち、一度開封すると持ち運びは困難である。【０００８】  これらの中間的性質を持つものは不織布等の比較的大きい空孔を有する包装材である。しかし、大部分の不織布は気体のみならず液体までも通過させてしまうのでゲル体の包装材として実用的に用いることは不可能であった。
【課題を解決するための手段】
【０００９】  本発明における特長は気体透過性高分子フィルムを包装材として用い、内容物の親水性高分子ゲル体のソフト感を維持し、かつ親水性高分子ゲル体をフィルム外に漏らすことなく、気体を通過させ、包装体内に含有させたマイナスイオン発生源、揮発性芳香成分及び消臭成分の効果を最大限に発揮させることを可能とした、保冷（温）材、芳香材、消臭材として利用可能な気体透過性包装体である。【００１０】  包装材の材質としては、ポリエチレン、ポリプロピレン、ポリエステル、ナイロン、ポリ塩化ビニル、セロファン、エチレン−酢酸ビニル共重合物、ポリエチレンスパンボンド不織布、ポリプロピレンスパンボンド不織布、ポリエステルスパンボンド不織布、ナイロンスパンボンド不織布、パルプ繊維不織布、コットンスパンボンド不織布、のうち少なくとも一種類以上を含み、熱シール性を発現させるために低密度のポリエチレン層をラミネートさせる必要がある。【００１１】  揮発性芳香成分、または消臭成分を優位に透過させ、さらに耐強度を持たせるためにはポリエチレン、ポリプロピレン等の無極性オレフィン系ポリマーのラミネートフィルムが好ましい。低密度高分子フィルムを用いると気体透過性が増大し、より好ましい。また、水蒸気を優位に透過させるためにはポリエチレンとナイロンのラミネートフィルムとするのが好ましい。また、コロナ放電によりマイクロメートルレベルの物理的空孔を空けたフィルムを用いると気体透過性が向上するので好ましい。【００１２】  気体のフィルム透過を考えると、フィルム中には物理的な空孔、分子構造的空孔が存在する。繊維や不織布は前者を有し、気体のみならず、液体をも通過させてしまう。即ち、ゲル体を内容物とする場合、単層でこれらを用いることは不適切である。高分子フィルムについては後者を有している。ポリエチレン、ポリプロピレン等は親水基を有さず、疎水的であるため、水蒸気の透過性は低いが疎水性有機成分は透過しやすい。【００１３】  ナイロン、セロハン、ポリビニルアルコール等は分子構造的に親水性基を有しているため水蒸気の透過性に優れるが有機化合物の透過性はポリエチレン、ポリプロピレン程ではない。工業的な応用、環境負荷、コスト、この３つを勘案すると、ポリエチレン、ポリプロピレン、ナイロン、ポリエステル、またはこれらの不織布を用いる多層ラミネートフィルムが好ましい。【００１４】  なお、水蒸気、有機化合物の気体透過は高分子フィルムの厚さに依存するため、単層または多層ラミネートした場合でも２００μｍ以下とするのが好ましい。即ち、厚くすればするほど耐強度は発現するが気体透過性は低くなる傾向にあるので、適度な気体透過性、耐強度を有するフィルムが好ましい。【００１５】  このような気体透過性フィルムを用い、この中に親水性高分子ゲルとマイナスイオン発生源を熱シールによって封入することにより、新たな特性が発現する。水由来のマイナスイオンはＯＨ−（Ｈ２Ｏ）ｎで示されるものと考えられており、周囲に水が多く存在する場所で多く検知される。さらにマイナスイオンはその還元作用から、人体に良い影響を与える物質であるとの研究が成されており、本発明に関しては親水性高分子ゲル中に水が多く含まれているため、そ��から多くのマイナスイオンが発生すると考えられる。しかし、発生したマイナスイオンがフィルムによって阻止されれば、全く意味がない。【００１６】  ここで、気体透過性フィルムを用いると親水性高分子ゲル内で発生したマイナスイオン、またはその前駆体がフィルムを通過し得る。即ちこの包装体外に存在する物体がマイナスイオンの効果を受けることが可能となる。【００１７】  食品類の鮮度保持に関しては人類が抱える半永久的問題であり、冷凍冷蔵による鮮度保持は古くから知られているが、それ以外の部分で、鮮度保持するのは困難であった。マイナスイオンはその還元作用により食品の酸化防止剤として働き、結果的に鮮度保持に寄与するのである。【００１８】  また、マイナスイオンには制菌作用もあるため、食品類中での細菌の増殖を抑制する。即ち、鮮度保持への貢献が提案される。具体的には気体透過性フィルムを用い、この中に親水性高分子ゲルとマイナスイオン発生源を熱シールによって封入した包装体を冷凍により凝固させ、融解潜熱と顕熱により食品類を保冷し、マイナスイオンによる鮮度保持を提案する。【００１９】  さらに、この気体透過性フィルムを用い、この中に親水性高分子ゲルとマイナスイオン発生源を熱シールによって封入した包装体中に凝固点降下剤を配合することにより、冷凍庫に入れても凝固せずソフト感を維持するアイシング材、枕として人体に直接接し、冷却効果のほかに、マイナスイオンの効果を発揮する包装体を提案する。熱媒体によって温めれば保温材としても用いることが可能である。【００２０】  また、この気体透過性フィルムを用い、この中に親水性高分子ゲルと揮発性芳香成分を熱シールによって封入させることにより新たな特性が発現する。揮発性芳香成分はある温度で一定の蒸気圧を有しているため、微量でも人体の嗅覚で検知される。【００２１】  本発明の特長であるフィルムの気体透過性により揮発性芳香成分は包装体内から外へ蒸散し、結果的に大気へ放出される。これによって人体の嗅覚で検知される。高温雰囲気下に放置すれば芳香成分の蒸気圧は増大し、大気への放出はより顕著となる。【００２２】  アロマテラピーを代表とした匂いによるリラグゼーション作用は現代社会において医学療法としても用いられるものであるが、本発明においては芳香性の強弱のコントロールが可能であり、かつ濃厚な液体として直接肌に触れることがないので、肌の比較的弱い人に対しても匂いによるリラグゼーション作用が提供できる。【００２３】  なお、本発明では包装体の内容物がゲルであるため、ソフト感があり、芳香枕としても使用可能である。また、移動または放置しておくことにより、マスキング作用による消臭剤としても使用できる。芳香剤として使用する場合、内容物にゲル化剤が含有していなくても構わない。また、従来の芳香剤とは異なり、直接大気に触れないため、芳香期間が長くなるのも本発明の特長である。【００２４】  芳香揮発性芳香成分である天然香料は具体的にイランイラン、オレンジ、カモミール、クラリーセージ、グレープフルーツ、サイプレス、サンダルウッド、シダーウッド、ジャスミン、ジュニパー、ゼラニウム、ティーツリー、ネロリ、フランキンセンス、ペパーミント、ベルガモット、��ージョラム、メリッサ、ユーカリ、ラベンダー、レモン、レモングラス、ローズ、ローズマリーなどが挙げられる。【００２５】  また、この気体透過性フィルムを用い、この中に親水性高分子ゲルと天然系抽出物消臭剤を熱シールによって封入させることにより新たな特性が発現する。実際、親水性高分子ゲル自体に消臭効果が存在するが、天然系抽出物消臭剤による更なる化学的消臭の実現が提供できる。【００２６】  その機構を説明すると、親水性高分子ゲルの特性として水溶性臭気成分、例えばアンモニア、トリメチルアミン等を短時間で消臭する。これはゲル中に多くの水を含んでいるからである。即ち、ゲル中に臭気成分を閉じ込めることが出来、さらに、親水性高分子ゲルの高い保水性により臭気成分を外に逃がさない。ここに、天然系抽出物消臭剤中に含まれるポリフェノールが存在すると、これ自体がフェノール基に起因するブレンステッド酸による塩基中和作用を持つため、ゲル中に取り込まれたアンモニアなどの塩基性臭気成分を容易に消臭する。さらに、ポリフェノールはその複雑な構造から推測される包接作用を有しているため更なる消臭作用の実現が期待できる。【００２７】  気体透過性フィルム中に親水性高分子ゲルと天然系抽出物消臭剤を熱シールによって封入させると包装体外に存在する気体の臭気成分は徐々にフィルムを透過し、包装体内に取り込まれ、ゲル体に溶解する。即ち、消臭される。さらに天然系抽出物消臭剤が包装体外に蒸散し、臭気成分を化学的に消臭することも考えられる。
【実施例】
【００２８】  以下に実施例及び比較例を挙げて本発明をより具体的に説明する。【００２９】実施例１
ラミネートフィルムには低密度ポリエチレン５０μｍ／ナイロン１５μｍ、内容物には精製水９９重量％、高分子ゲル化剤にポリアクリル酸ナトリウム（三洋化成社製）１重量％、金属含有珪藻土０．５重量％を用い熱シールにより気体透過性包装体とした。【００３０】実施例２
ラミネートフィルムには低密度ポリエチレン５０μｍ／ポリプロピレン２０μｍ、内容物には精製水９８重量％、高分子ゲル化剤にポリアクリル酸ナトリウム１重量％、ラベンダー香料１重量％を用い熱シールにより気体透過性包装体とした。【００３１】実施例３
ラミネートフィルムには低密度ポリエチレン５０μｍ／ポリプロピレン２０μｍ、内容物には精製水９６重量％、高分子ゲル化剤にポリアクリル酸ナトリウム重量１％、緑茶乾留抽出物３重量％を用い熱シールにより気体透過性包装体とした。【００３２】比較例１
ラミネートフィルムには低密度ポリエチレン６０μｍ／ポリエチレン１５μｍ／ナイロン２５μｍ、内容物には精製水９９重量％、高分子ゲル化剤にポリアクリル酸ナトリウム１重量％、金属含有珪藻土０．５％重量を用い熱シールにより包装体とした。【００３３】比較例２
ラミネートフィルムには低密度ポリエチレン６０μｍ／ポリエチレン１５μｍ／ナイロン１５μｍ、内容物には精製水９８重量％、高分子ゲル化剤にポリアクリル酸ナトリウム１重量％、ラベンダー香料１重量％を用い熱シールにより包装体とした。【００３４】比較例３
ラミネートフィルムには低密度ポリエチレン６０μｍ／ポリエチレン１５μｍ／ナイロン１５μｍ、内容物には精製水９６重量％、高分子ゲル化剤にポリアクリル酸ナトリウム重量１％、緑茶乾留抽出物３重量％を用い熱シールにより包装体とした。【００３５】比較実験１
実施例１と比較例１に関し、包装体外のマイナスイオン数を空気イオンカウンター  ｉｎｔｉ  ＩＴＣ−２０１Ａ（アンデス電気社製）を用いて測定した。包装体温度９８℃、２５℃雰囲気下で測定したところ、実施例１では５３０個／ｍｌ、比較例１では５０個／ｍｌのマイナスイオンが観測された。結果として実施例１は比較例１より１０倍以上のマイナスイオンを発生していることが解った。【００３６】比較実験２
実施例２と比較例２に関し、包装体内の芳香成分の外部への蒸散試験を行った。２５℃雰囲気下、３０分放置したところ実施例２ではラベンダー芳香が人体の嗅覚で検知されたが、比較例２では全く検知されなかった。実施例２では３ヵ月経過後も同様にラベンダー芳香が検知された。結果として実施例２は芳香材として用いることが可能であることが解った。【００３７】比較実験３
実施例３と比較例３に関し、包装体とアンモニア（初期濃度９００ｕｌ／ｌ）をそれぞれ密閉された容器に入れ、２５℃雰囲気下で２４時間放置した後、真空ガス採取器ＡＰ−２０（光明理化学工業社製）で残存アンモニア量を測定した。実施例３では２００ｕｌ／ｌ、比較例３では７８０ｕｌ／ｌであった。結果として、実施例３のほうがより消臭能力が高いことが理解できる。
【作用】
【００３８】  比較例に示した通常用いられている包装用フィルムを用いた包装体とは異なり、本発明における気体透過性包装体は気体透過性フィルムを用いることにより、内容物が直接大気に触れることなく、マイナスイオン、芳香成分、消臭成分の効果が発揮されるものである。
【発明の効果】
【００３９】  以上の通り、本発明は親水性高分子ゲルが漏れることを防止し、かつ気体を透過させる包装体は配合する添加物の種類により保冷（温）材、芳香材、消臭材として応用できる。